(57)【要約】【課題】  デジタルカメラの小型化・薄型化及び液晶パネルの大型化により、デジタルカメラ背面に占める液晶パネルの領域が広いため、額縁部分が非常に狭い。そのため、撮影時のデジタルカメラ保持性が低下している。【解決手段】  デジタルカメラ側面に収納可能な把持部を備え、該把持部は光軸に平行な軸を中心に回動し、撮影時には該把持部を引き出し、デジタルカメラを安定して保持することができる。該把持部は収納状態において該把持部の一部が光軸方向に対し液晶パネルと重なって配置すること。また、該把持部の内側に回路基板の一部を配置することで、デジタルカメラ内部において光軸方向に部品を重ねて構成することが出来るため、デジタルカメラ内部の空間利用効率が向上する。上記により、大型の把持部をデジタルカメラ内部に収納することができる。【選択図】  図１
2007324832.tif 000002
【特許請求の範囲】
【請求項１】
表示部と撮像部を備えた撮像装置において、該撮像装置は側面に収納可能な把持部を備え、該把持部は光軸に平行な軸を中心に回動し、且つ該把持部は撮像装置への収納状態において該把持部の一部または全体が光軸方向に対し表示部と重なることを特徴とする撮像装置。
【請求項２】
該把持部が撮像装置に収納された状態において、該把持部の内側に回路基板や電池の一部または全体が配置されることを特徴とする請求項１に記載の撮像装置。
【請求項３】
該把持部の被写体側に鏡を備えることを特徴とする請求項１に記載の撮像装置。
【請求項４】
該把持部の被写体側にリモコン受光部を備えることを特徴とする請求項１に記載の撮像装置。
【請求項５】
該把持部に指標部を備えることを特徴とする請求項１に記載の撮像装置。
【発明の詳細な説明】
【技術分野】
【０００１】
本発明は撮像部と表示部を備えた撮像装置に関するものである。
【背景技術】
【０００２】
近年、CCDなどの撮像部で被写体を撮影して、記録、再生を行うデジタルカメラなどの撮像装置が普及している。前記デジタルカメラは小型化、薄型化が進んでおり携帯性が向上している。
【０００３】
デジタルカメラには撮影画像を再生表示したり、ビューファインダーとしても機能する液晶パネルなどの表示部を備え、その表示部は年々大型化している。
【０００４】
しかし、一方で前記デジタルカメラの小型化、薄型化及び液晶パネルの大型化により、デジタルカメラ背面に占める液晶パネルの領域が広がる。そのため、撮影時に右手でデジタルカメラの右側部分をグリップしたとき、右手の一部が液晶パネルの表示部にかかってしまい視認性が悪化する。また、手が触れることにより液晶パネル表示部が汚れたり、あるいは表面に外力を加えることにより液晶パネルにダメージを加えることがある。
【０００５】
そこで従来は、デジタルカメラ側面に回動可能なグリップを設けものがある（例えば、特許文献１参照）
【特許文献１】特開平11-15072号公報
【発明の開示】
【発明が解決しようとする課題】
【０００６】
しかしながら、上記従来例ではグリップの回動範囲がデジタルカメラの側面または背面に限定されているため、非撮影時でも該把持部によりデジタルカメラの幅方向または厚み方向が大型化してしまい携帯性が損なわれる。
【０００７】
そこで、本出願に係わる第１及び第２の発明の目的は、撮影時には大型の把持部により安定した保持を実現しながら、非撮影時にはコンパクトで携帯性に優れたデジタルカメラを提供することにある。
【０００８】
第３の発明の目的は、セルフポートレイトを撮影するときの被写体位置を確認しやすいデジタルカメラを提供することにある。
【０００９】
第４の発明の目的は、非撮影時には不要なリモコン受光部を収納し、外観品位を向上したデジタルカメラを提供することにある。
【００１０】
第５の発明の目的は、非撮影時には不要な指標部を収納し、外観品位を向上したデジタルカメラを提供することにある。
【課題を解決するための手段】
【００１１】
本発明は、表示部と撮像部を備えた撮像装置において、該撮像装置は側面に収納可能な把持部を備え、該把持部は光軸に平行な軸を中心に回動し、且つ該把持部は撮像装置への収納状態において該把持部の一部または全体が光軸方向に対し表示部と重なることを特徴とする。
【００１２】
また、本発明のその他の特徴とするところは、該把持部が撮像装置に収納された状態において、該把持部の内側に回路基板や電池の一部または全体が配置されることを特徴とする。
【００１３】
また、本発明のその他の特徴とするところは、該把持部の被写体側に鏡を備えることを特徴とする。
【００１４】
また、本発明のその他の特徴とするところは、該把持部の被写体側にリモコン受光部を備えることを特徴とする。
【００１５】
また、本発明のその他の特徴とするところは、該把持部に指標部を備えることを特徴とする。
【発明の効果】
【００１６】
以上説明したように、本出願に係わる第１の発明によれば、撮像装置側面に配置された把持部は光軸に平行な軸を中心に回動するので、非撮影時は把持部を撮像装置内に収納でき、撮像装置外形に影響を及ぼさないので撮像装置を小型化できる。撮影時は把持部を撮像装置から取り出すことで、撮像装置の保持性が向上する。また、収納状態において把持部の一部または全体が光軸方向に対し表示部と重なって配置されることにより、収納時は撮像装置外形に影響せずに把持部を大型化できるため、撮像装置の保持性が更に向上する。
【００１７】
また、第２の発明によれば、収納状態の把持部の内側に回路基板や電池の一部または全体を配置することで、撮像装置内部において光軸方向に部品を重ねて構成することが出来るため、撮像装置内部の空間利用効率が向上し撮像装置の小型化に寄与する。
【００１８】
また、第３の発明によれば、把持部の被写体側に鏡を備えることでセルフポートレイト撮影を行うときは取り出した把持部の被写体側にある鏡で被写体位置を確認することができるため撮像領域に対する被写体の位置を確認できる。また、非撮影時は不要な鏡を把持部と共に撮像装置内部に収納することで、外観品位を低下させる鏡を隠すことが出来る。
【００１９】
また、第４の発明によれば、把持部の被写体側にリモコン受光部を備えることで、リモコン撮影を行うときは取り出した把持部の被写体側にあるリモコン受光部でリモコンからの信号を受信することができる。また、非撮影時は不要なリモコン受光部を把持部と共に撮像装置内部に収納することで、外観品位を低下させるリモコン受光部を隠すことが出来る。
【００２０】
また、第５の発明によれば、把持部に発光ダイオードなどの指標部を備えることで、指標部が必要な操作時は把持部を取り出し位置で使用する。また、指標部が不要なときは把持部を収納することで、外観品位を低下させる指標部を隠すことが出来る。
【発明を実施するための最良の形態】
【００２１】
次に、本発明の詳細を実施例の記述に従って説明する。
【００２２】
次に、本発明の実施形態を図面を用いて説明する。図１はデジタルカメラ１を斜め後方からの斜視図であり、図２はデジタルカメラ前面からの平面図である。
【００２３】
デジタルカメラ１は背面に液晶パネル２などの表示部及びタッチパネル３を備える。本実施例ではデジタルカメラ１の小型化・薄型化及び液晶パネル２の大型化により、デジタルカメラ１背面に占める液晶パネル２の領域が広く、額縁部分が非常に狭い。液晶パネル２は再生モードでは撮影した画像を表示し、撮影モードではビューファインダーとして被写体を表示する。また、タッチパネル３はユーザからのスイッチ操作を検出し制御部に制御信号を出力する。
【００２４】
デジタルカメラ１前面には被写体をデジタルカメラ１内部に取り込むための撮影レンズ及び鏡筒ユニット４やストロボ５を備える。撮像レンズを通過した被写体像はＣＣＤの受光面上に結像し、結像した被写体の光量に応じた、電荷が蓄積される。撮像信号処理部ではＣＣＤから出力されたアナログ信号をＲ，Ｇ，Ｂ成分に分解し、ホワイトバランス調整やガンマ補正を行い、必要なタイミングでＲ，Ｇ，Ｂを順次Ａ／Ｄ変換し、得られたデジタル画像データを制御部に出力する。また、ストロボ５は被写体の光量が不足したときに補助光として発光する。
【００２５】
デジタルカメラ１上面にはレリーズボタン６とパワーボタン７を備え、レリーズボタン６は半押しと全押しの二段階押し込み構造になっている。半押しで、ＡＦおよびＡＥをロックし、全押しで撮影画像の取り込みが行われる。また、パワーボタン７はデジタルカメラ１の電源ＯＮ／ＯＦＦを決める。
【００２６】
デジタルカメラ１右側面には収納可能な把持部８を備え、該把持部８は光軸に平行なシャフト８ａを中心に回動する。ユーザは撮影時に取り出した該把持部８を右手でグリップする事で、把持部が無いカメラと比較し、デジタルカメラ１を安定して保持することが出来る。右手の一部が液晶パネル２の表示部にかかることがないため視認性が良好である。また、手が触れることが無いため、タッチパネル３表面が汚れたり、あるいは表面に外力を加えることによりタッチパネル３や液晶パネル２にダメージを加えることもない。
【００２７】
図３はデジタルカメラ１背面からの平面図、図４は断面９での上面方向からの断面図であり、どちらも該把持部８が収納された状態である。
【００２８】
デジタルカメラ内部には前記撮像信号処理部や前記制御部などを搭載する回路基板１０を内蔵する。収納状態において該把持部８の一部が光軸方向に対し液晶パネル２と重なって配置されている。また、該把持部８の内側に回路基板１０の一部を配置することで、デジタルカメラ１内部において光軸方向に部品を重ねて構成することが出来るため、デジタルカメラ１内部の空間利用効率が向上することでデジタルカメラの小型化を実現する。上記により、大型の把持部をデジタルカメラ内部に収納することができ、撮影時にはデジタルカメラ１を安定して保持することが出来る。
【００２９】
図５に示すように把持部８の被写体側には鏡１１を備えており、セルフポートレイト撮影を行うときは取り出した該把持部８の被写体側にある鏡１１で被写体位置を確認することができるため撮像領域に対する被写体の位置を確認できる。また、非撮影時は不要な鏡１１を該把持部８と共にデジタルカメラ１内部に収納することで、外観品位を低下させる鏡１１を隠すことが出来る。
【００３０】
図６に示すように把持部８の被写体側にはリモコン受光部１２を備えており、リモコン撮影を行うときは取り出した該把持部８の被写体側にある該リモコン受光部１２でリモコンからの信号を受信することができる。また、非撮影時は不要なリモコン受光部１２を該把持部８と共にデジタルカメラ１内部に収納することで、外観品位を低下させるリモコン受光部１２を隠すことが出来る。
【００３１】
図７に示すように把持部の撮影者側には指標部である発光ダイオード１３備えており、該発光ダイオードが必要な操作時は該把持部８を取り出し位置で使用する。また、該発光ダイオード１３の表示が不要なときは該把持部８を収納することで、外観品位を低下させる発光ダイオード１３を隠すことが出来る。
【図面の簡単な説明】
【００３２】
【図１】デジタルカメラ斜め後方からの斜視図
【図２】デジタルカメラ前面からの平面図
【図３】デジタルカメラ背面からの平面図
【図４】デジタルカメラ上面方向からの断面図
【図５】把持部に備えた鏡の概略図
【図６】把持部に備えたリモコン受光部の概略図
【図７】把持部に備えた発光ダイオードの概略図
【符号の説明】
【００３３】
１  デジタルカメラ本体
２  液晶パネル
３  タッチパネル
４  鏡筒ユニット
５  ストロボ
６  レリーズボタン
７  パワーボタン
８  把持部
８ａ  把持部シャフト
９  断面
１０  回路基板
１１  鏡
１２  リモコン受光部
１３  発光ダイオード
【図１】
2007324832.tif 000003
【図２】
2007324832.tif 000004
【図３】
2007324832.tif 000005
【図４】
2007324832.tif 000006
【図５】
2007324832.tif 000007
【図６】
2007324832.tif 000008
【図７】
2007324832.tif 000009